(57)【要約】【課題】駆動素子の電力を、装置構成を大型化することなく高い効率で回生可能とする。【解決手段】複数のコンデンサを備えておき、各コンデンサを直列接続した状態で駆動素子に接続することによって、駆動素子の電荷をコンデンサに回生させる。コンデンサに電荷が回収されて駆動素子の電圧が低下すると、直列接続したコンデンサの数を減らしていく。これにより、コンデンサ側の電圧値を高めて駆動素子からコンデンサ側に流れる電流による電力消費を抑えながら効率よく電荷を回収することが可能となり、また、駆動素子の電圧値が下がってもコンデンサ側の電圧を下げて電荷を十分に回収することが可能となる。こうすれば、電圧値の異なる複数のコンデンサを備えておく必要がないので、コンデンサを充電するために複数の電源を備える必要もないので、装置構成を簡素に保つことが可能となっている。【選択図】図７
2010221457.tif 000002
【特許請求の範囲】
【請求項１】
噴射口に設けられた駆動素子に電圧を印加して該駆動素子を駆動することにより、該噴
射口から流体を噴射する流体噴射装置であって、
前記駆動素子は、印加される電圧が上昇すると該電圧値に応じた電荷を内部に蓄え、該
印加される電圧値が降下すると該内部に蓄えた電荷を放出する素子であり、
複数のコンデンサと、
前記駆動素子に印加される電圧値の降下時には、前記複数のコンデンサを直列に接続し
た状態で前記駆動素子に接続することにより、該駆動素子に蓄えられた電荷を該コンデン
サに回収する電荷回収手段と
を備え、
前記電荷回収手段は、前記駆動素子に印加される電圧値が降下するに従って、前記直列
に接続したコンデンサの数が減るように該コンデンサ間の接続状態を切り換えて、該駆動
素子に蓄えられた電荷を回収する手段である流体噴射装置。
【請求項２】
請求項１に記載の流体噴射装置であって、
前記電荷回収手段は、直列に接続された一部のコンデンサを他のコンデンサに対して並
列に接続された状態にすることにより、該直列に接続されたコンデンサの数を減少させる
手段である流体噴射装置。
【発明の詳細な説明】
【技術分野】
【０００１】
本発明は、噴射ヘッドから流体を噴射する技術に関する。
【背景技術】
【０００２】
印刷媒体上にインクを噴射して画像を印刷するプリンタ（いわゆるインクジェットプリ
ンタ）は、高品質の画像を簡便に印刷可能であることから、今日では、画像の出力手段と
して広く使用されている。また、この技術を応用して、インクの代わりに、適切な成分に
調製した各種の流体（例えば、機能材料の微粒子が分散された液体や、ジェルなどの半流
動体など）を基板上に噴射すれば、電極や、センサ、バイオチップなど、各種の精密な部
品を簡便に製造することも可能と考えられる。
【０００３】
このような技術では、正確な分量の流体を正確な位置に噴射することが可能なように、
微細な噴射口が設けられた専用の噴射ヘッドが用いられている。噴射ヘッドには、噴射口
に接続された駆動素子（例えば、ピエゾ素子）が備えられており、駆動素子が動作するこ
とによって、流体が噴射口から噴射される。駆動素子は、印加電圧に応じて動作するよう
になっているので、印加電圧を適切に制御することによって、噴射する流体の分量などを
正確に制御することが可能となっている。
【０００４】
また、駆動素子としてピエゾ素子などの容量性の素子を用いた場合、駆動素子の電圧を
上昇させる際に投入した電力は駆動素子に蓄えられる。このため、駆動素子の電圧を降下
させる際に、駆動素子に蓄えられていた電力をコンデンサ等に回収しておけば、再び電圧
を上昇させる際にはその電力を再利用することが可能となって電力効率を高めることがで
きる。もっとも、駆動素子の端子電圧に対してコンデンサの電圧が低すぎると、電力を回
収する際に駆動素子からコンデンサへと大きな電流が流れるため、電力を消費してしまう
。かといって、駆動素子の端子電圧とコンデンサの電圧とが近すぎると、駆動素子からの
電力を十分に回収できない。そこで、電圧値が異なる複数のコンデンサを用意しておき、
電圧値の高いコンデンサから順に駆動素子に接続し、電力の回収が困難となったら電圧値
のより低いコンデンサへつなぎ替えることによって、多大な電流が流れることを回避しな
がら多くの電力を回収可能とする技術が提案されている（特許文献１）。
【先行技術文献】
【特許文献】
【０００５】
【特許文献１】特開２００３−２８５４４１号公報
【発明の概要】
【発明が解決しようとする課題】
【０００６】
しかし、提案されている技術では、電圧の異なる複数のコンデンサが必要となり、各コ
ンデンサに異なる電圧を充電するための複数の電源が必要となって、装置構成が大型化し
てしまうという問題があった。
【０００７】
この発明は、従来の技術が有する上述した課題を解決するためになされたものであり、
装置構成を大型化することなく、電力を高い効率で回生可能とする技術の提供を目的とす
る。
【課題を解決するための手段】
【０００８】
上述した課題の少なくとも一部を解決するために、本発明の流体噴射装置は次の構成を
採用した。すなわち、
噴射口に設けられた駆動素子に電圧を印加して該駆動素子を駆動することにより、該噴
射口から流体を噴射する流体噴射装置であって、
前記駆動素子は、印加される電圧が上昇すると該電圧値に応じた電荷を内部に蓄え、該
印加される電圧値が降下すると該内部に蓄えた電荷を放出する素子であり、
複数のコンデンサと、
前記駆動素子に印加される電圧値の降下時には、前記複数のコンデンサを直列に接続し
た状態で前記駆動素子に接続することにより、該駆動素子に蓄えられた電荷を該コンデン
サに回収する電荷回収手段と
を備え、
前記電荷回収手段は、前記駆動素子に印加される電圧値が降下するに従って、前記直列
に接続したコンデンサの数が減るように該コンデンサ間の接続状態を切り換えて、該駆動
素子に蓄えられた電荷を回収する手段であることを要旨とする。
【０００９】
かかる本発明の流体噴射装置は、複数のコンデンサを備えており、これらのコンデンサ
を直列に接続した状態で駆動素子に接続して、駆動素子に蓄積された電荷をコンデンサに
回収する。ここで、コンデンサに電荷が回収されて駆動素子の電圧が低下すると、直列に
接続したコンデンサの数を減らしていく。
【００１０】
コンデンサを直列に接続すると、コンデンサ全体の電圧値は各コンデンサの電圧値の合
計値になるので、コンデンサ側の電圧値を駆動素子の電圧値に近づけることが可能となる
。これにより、駆動素子とコンデンサとを接続する際に流れる電流を抑えることが可能と
なり、電流による電力消費を抑制して電荷を効率よく回収することが可能となる。また、
電荷の回収に伴って駆動素子の電圧値が下がったら、直列に接続するコンデンサの数を減
らすことによってコンデンサ側の電圧値を下げることができるので、駆動素子の電圧が下
がって電荷が放出され難くなっても、電荷の回収を続けて電荷を十分に回収することが可
能となる。そして、直列に接続するコンデンサの数を変えることによってコンデンサ側の
電圧値を変化させているので、電圧値の異なる複数のコンデンサを備えておく必要がなく
、それらのコンデンサを充電するために複数の電源を備えておく必要もない。このため、
電荷を効率よく回収可能としながらも、装置構成を簡素に保つことが可能となる。
【００１１】
また、上述した本発明の流体噴射装置では、直列に接続したコンデンサの数を減らす際
には、一部のコンデンサを他のコンデンサに対して並列に接続された状態に切り替えるも
のとしてもよい。
【００１２】
コンデンサの接続状態を切り替えながら電荷を回収していくと、コンデンサ毎に駆動素
子に接続されている時間が異なる等の理由から、各コンデンサの間で回収した電荷量にバ
ラつきが生じることがある。そこで、直列に接続したコンデンサの数を減らす際に、他の
コンデンサと並列に接続しておけば、コンデンサ間で電荷を受け渡して電荷量のバラつき
を解消することが可能となる。
【００１３】
また、本発明は、コンデンサを直列に接続した状態で駆動素子に接続し、直列接続した
コンデンサの数を減らしていくことによって、装置構成を大型化することなく、電荷を効
率良く回収可能とており、回収した電荷を再利用すれば、駆動素子を高い効率で駆動する
ことが可能なる。こうした点に鑑みれば、本発明は、流体噴射装置に限られず、駆動素子
を用いる種々の装置に適用することが可能である。従って、本発明は、駆動素子を駆動す
る駆動回路として把握することも可能である。すなわち、
駆動素子に電圧を印加して該駆動素子を駆動する駆動回路であって、
前記駆動素子は、印加される電圧が上昇すると該電圧値に応じた電荷を内部に蓄え、該
印加される電圧値が降下すると該内部に蓄えた電荷を放出する素子であり、
複数のコンデンサと、
前記駆動素子に印加される電圧値の降下時には、前記複数のコンデンサを直列に接続し
た状態で前記駆動素子に接続することにより、該駆動素子に蓄えられた電荷を該コンデン
サに回収する電荷回収手段と
を備え、
前記電荷回収手段は、前記駆動素子に印加される電圧値が降下するに従って、前記直列
に接続したコンデンサの数が減るように該コンデンサ間の接続状態を切り換えて、該駆動
素子に蓄えられた電荷を回収する手段であることを要旨とする駆動回路として把握するこ
とが可能である。
【００１４】
このような態様として把握される本発明の駆動回路においても、複数のコンデンサを備
えており、これらのコンデンサを直列に接続した状態で駆動素子に接続して、駆動素子に
蓄積された電荷をコンデンサに回収する。そして、コンデンサに電荷が回収されて駆動素
子の電圧が低下すると、直列に接続したコンデンサの数を減らしていく。
【００１５】
こうすれば、コンデンサとピエゾ素子との電圧値を近づけた状態にして電流による電力
消費を抑制しつつ、直列に接続するコンデンサの数を減らすことによって電荷を十分に回
収することができる。そして、電圧値の異なる複数のコンデンサを備えておく必要がない
ことから、複数の電源を備えておく必要がなく、装置構成を簡素に保つことが可能となる
。
【図面の簡単な説明】
【００１６】
【図１】インクジェットプリンタを例に用いて本実施例の流体噴射装置の大まかな構成を示した説明図である。
【図２】噴射ヘッド２４の内部の機構を詳しく示した説明図である。
【図３】ピエゾ素子に印加する電圧波形（駆動電圧波形）を例示した説明図である。
【図４】ピエゾ素子駆動回路およびその周辺の回路構成を示した説明図である。
【図５】本実施例の電力回収部の回路構成を示した説明図である。
【図６】電力回収部のスイッチを切り替えることによりコンデンサを直列に接続する様子を示した説明図である。
【図７】本実施例の電力回収部によってピエゾ素子の電力を回収する様子を示した説明図である。
【図８】電力回収部のコンデンサに回収した電力を、ピエゾ素子に再投入する様子を示した説明図である。
【図９】電力回収部によって電力の供給を行う第２実施例のピエゾ素子駆動回路を示した説明図である。
【図１０】第２実施例のピエゾ素子駆動回路を用いてピエゾ素子を駆動する様子を示した説明図である。
【図１１】各コンデンサと電源とをダイオードで接続した変形例の電力回収部を示した説明図である。
【図１２】電力回収部の各コンデンサを並列に接続する変形例の電力回収部を示した説明図である。
【発明を実施するための形態】
【００１７】
以下では、上述した本願発明の内容を明確にするために、次のような順序に従って実施
例を説明する。
Ａ．装置構成：
Ｂ．第１実施例のピエゾ素子駆動回路：
Ｃ．本実施例の電力回収部：
Ｄ．第２実施例のピエゾ素子駆動回路：
Ｅ．変形例：
Ｅ−１．第１変形例：
Ｅ−２．第２変形例：
【００１８】
Ａ．装置構成  ：
図１は、いわゆるインクジェットプリンタを例に用いて本実施例の流体噴射装置の大ま
かな構成を示した説明図である。図示されているように、インクジェットプリンタ１０は
、主走査方向に往復動しながら印刷媒体２上にインクドットを形成するキャリッジ２０と
、キャリッジ２０を往復動させる駆動機構３０と、印刷媒体２の紙送りを行うためのプラ
テンローラ４０などから構成されている。キャリッジ２０には、インクを収容したインク
カートリッジ２６や、インクカートリッジ２６が装着されるキャリッジケース２２、キャ
リッジケース２２の底面側（印刷媒体２に向いた側）に搭載されてインクを噴射する噴射
ヘッド２４などが設けられており、インクカートリッジ２６内のインクを噴射ヘッド２４
に導いて、噴射ヘッド２４から印刷媒体２に向かって正確な分量のインクを噴射すること
が可能となっている。
【００１９】
キャリッジ２０を往復動させる駆動機構３０は、主走査方向に延設されたガイドレール
３８と、内側に複数の歯形が形成されたタイミングベルト３２と、タイミングベルト３２
の歯形と噛み合う駆動プーリ３４と、駆動プーリ３４を駆動するためのステップモータ３
６などから構成されている。タイミングベルト３２の一部はキャリッジケース２２に固定
されており、タイミングベルト３２を駆動することによって、ガイドレール３８に沿って
キャリッジケース２２を精度良く移動させることができる。
【００２０】
また、印刷媒体２の紙送りを行うプラテンローラ４０は、図示しない駆動モータやギア
機構によって駆動されて、印刷媒体２を副走査方向に所定量ずつ紙送りすることが可能と
なっている。これらの各機構は、インクジェットプリンタ１０に搭載されたプリンタ制御
回路５０によって制御されており、こうした各機構を用いて、インクジェットプリンタ１
０は、印刷媒体２を紙送りしながら噴射ヘッド２４を駆動してインクを噴射することによ
って、印刷媒体２上に画像を印刷していく。
【００２１】
図２は、噴射ヘッド２４の内部の機構を詳しく示した説明図である。図示されている様
に、噴射ヘッド２４の底面（印刷媒体２に向いている面）には、複数の噴射口１００が設
けられており、それぞれの噴射口１００からインク滴を噴射することが可能となっている
。各噴射口１００はそれぞれインク室１０２に接続されており、インク室１０２には、イ
ンクカートリッジ２６から供給されたインクが満たされている。各インク室１０２の上に
はピエゾ素子１０４が設けられており、ピエゾ素子１０４に電圧を印加すると、ピエゾ素
子が変形してインク室１０２を加圧することによって、噴射口１００からインク滴を噴射
することが可能となっている。また、ピエゾ素子１０４は、印加する電圧の電圧値に応じ
て変形量が変わるので、ピエゾ素子１０４に印加する電圧を適切に制御すれば、インク室
１０２を押す力や押すタイミングを調節して、噴射するインク滴のサイズを変更すること
が可能である。このため、インクジェットプリンタ１０は、次の様な形状の電圧波形をピ
エゾ素子１０４に印加している。
【００２２】
図３は、ピエゾ素子に印加する電圧波形（駆動電圧波形）を例示した説明図である。図
示されている様に、駆動電圧波形は、時間の経過とともに電圧が上昇し、その後降下して
元の電圧値に戻る台形状の波形をしている。また、図中には、こうした駆動電圧波形に応
じてピエゾ素子が伸縮する様子が示されている。図示されている様に、駆動電圧波形の電
圧値が上昇していくと、これに対応して、ピエゾ素子が徐々に収縮していく。このとき、
ピエゾ素子に引っ張られる様にしてインク室が膨張するので、インクカートリッジからイ
ンク室内にインクを供給することができる。電圧値が上昇してピークに達した後、電圧値
が降下していくと、今度は、ピエゾ素子が伸張することによって、インク室を圧縮して噴
射口からインクを噴射する。このとき、駆動電圧波形は、元の電圧値（図中「初期電圧」
と示した電圧値）よりも低い電圧値まで下がるようになっており、ピエゾ素子を初期状態
よりも伸張させてインクを十分に押し出すことが可能となっている。その後、駆動電圧波
形は初期電圧へと戻り、これに対応して、ピエゾ素子も初期状態へと戻って次の動作に備
える。
【００２３】
この様に、インクジェットプリンタ１０では、噴射ヘッド２４に設けられたピエゾ素子
に電圧波形を印加することによって、インク滴を噴射する。ここで、ピエゾ素子は、いわ
ゆる容量性の素子なので、電圧を上昇させる際にピエゾ素子に供給した電力はピエゾ素子
の内部に保持されており、電圧が降下する際にピエゾ素子から放出される。このため、放
出される電力を回収して電圧を再び上昇させる際に利用すれば、電力効率を高めて省電力
化を図ることが可能となる。そこで、本実施例のインクジェットプリンタ１０は、次の様
な回路構成を用いてピエゾ素子を駆動させることにより、ピエゾ素子に供給した電力を回
収して再利用可能としている。
【００２４】
Ｂ．第１実施例のピエゾ素子駆動回路  ：
図４は、本実施例のピエゾ素子駆動回路およびその周辺の回路構成を示した説明図であ
る。図示されている様に、ピエゾ素子駆動回路２００は、電力供給部２０２と、電力回収
部２０４と、電力供給部２０２および電力回収部２０４を制御する制御回路２０６などか
ら構成されている。電力供給部２０２は、ピエゾ素子に電力を供給するための電源回路で
あり、制御回路２０６からの命令に従ってピエゾ素子を駆動する電力を発生させる。電力
供給部２０２が発生させた電力は、図示されている様に、スイッチＳＷ＿Ａを介してゲー
トユニット３００へと供給される。
【００２５】
ゲートユニット３００は、複数のゲート素子３０２が並列に接続された回路ユニットで
あり、それぞれのゲート素子３０２の先には、ピエゾ素子１０４が接続されている。各ゲ
ート素子３０２は、個別に導通状態または切断状態とすることが可能となっており、イン
クを噴射しようとする噴射口のゲート素子３０２だけを導通状態にすれば、対応するピエ
ゾ素子１０４だけに電力を供給して、その噴射口からインク滴を噴射することが可能とな
っている。
【００２６】
また、ピエゾ素子１０４は、図示されている様に、スイッチＳＷ＿Ｂを介して電力回収
部２０４に接続することも可能となっている。前述した様に、ピエゾ素子１０４は容量性
の素子なので、ピエゾ素子１０４の電圧を降下させる際には、ピエゾ素子１０４に蓄えら
れていた電力が外部に放出される。そこで、本実施例のピエゾ素子駆動回路２００では、
この電力を電力回収部２０４に回収し、電圧を再び上昇させる際に利用することによって
、電力効率を高めている。この電力回収部２０４が電力を回収して再利用する動作につい
ては、後で詳しく説明する。
【００２７】
ピエゾ素子駆動回路２００とゲートユニット３００とは、それぞれプリンタ制御回路５
０に接続されており、プリンタ制御回路５０の命令に従って駆動されるようになっている
。プリンタ制御回路５０は、これらの回路構成を用いて、次のようにしてインク滴を噴射
する。まず、印刷しようとする画像データに基づいて、インク滴を噴射する噴射口と、噴
射するインク滴のサイズとを決定する。また、噴射するインク滴のサイズに応じて、その
サイズのインク滴を噴射するための電圧波形を決定する。そして、ゲートユニット３００
に命令を送ってその噴射口に対応するゲート素子３０２を導通状態にさせるとともに、ピ
エゾ素子駆動回路２００に対して、決定した電圧波形を発生させるように命令を送る。こ
れを受けて、ピエゾ素子駆動回路２００は、電力供給部２０２および電力回収部２０４を
操作して電圧波形を発生させ、ゲート素子３０２を介して指定された噴射口のピエゾ素子
１０４へと電圧を印加する。これにより、ピエゾ素子が駆動されて噴射口からインク滴が
噴射される。
【００２８】
この様に、本実施例のインクジェットプリンタ１０は、ピエゾ素子駆動回路２００で電
圧波形を発生させ、ゲートユニット３００を介して電圧波形をピエゾ素子に印加すること
によりピエゾ素子を駆動してインク滴を噴射する。ここで、本実施例のピエゾ素子駆動回
路２００では、電力供給部２０２によって電力を供給するだけでなく、電力回収部２０４
によって電力を回収して再利用することも可能となっており、これにより、電力効率を高
めて省電力化を図ることが可能となっている。以下では、この電力回収部２０４について
詳しく説明する。
【００２９】
Ｃ．本実施例の電力回収部  ：
図５は、本実施例の電力回収部の内部の回路構成を示した説明図である。図示されてい
る様に、電力回収部２０４は、ピエゾ素子から放出された電力を蓄えるための複数のコン
デンサを備えている。また、これらのコンデンサは、予め所定の電圧値（図中「Ｅ」と示
した電圧値）に充電されている。
【００３０】
もっとも、コンデンサに蓄えられた電圧値がピエゾ素子の電圧値と近すぎると、前述し
た様に、ピエゾ素子から電力があまり流れ出ないので、電力を十分に回収することができ
ない。かといって、電圧値が大きく離れていると、大きな電流が流れて電力を消費してし
まう。こうした点に鑑みて、本実施例の電力回収部２０４は、図示されている様に、各コ
ンデンサの間に切り替えスイッチＳＷ１〜ＳＷ３を備えており、これらのスイッチを操作
して各コンデンサを直列に接続したり、あるいは切断することによって、電力を効率よく
回収可能としている。そこで、電力回収部２０４が電力を回収する動作を説明する前に、
まず、スイッチＳＷ１〜ＳＷ３を切り替えることによってコンデンサを直列に接続したり
切断する様子について、簡単に説明しておく。尚、電力回収部２０４はコンデンサを幾つ
備えていてもよいが、本実施例では、説明を簡単にするために、３つのコンデンサ（図中
「Ｃ１」〜「Ｃ３」と示したコンデンサ）を備えているものとして説明する。
【００３１】
図６は、電力回収部のスイッチを切り替えることによりコンデンサを直列接続した状態
でピエゾ素子に接続する様子を示した説明図である。図６（ａ）には、全てのスイッチＳ
Ｗ１〜ＳＷ３が図の上側に切り替えられた状態が示されている。まず、スイッチＳＷ１に
着目すると、スイッチＳＷ１を図の上側に切り替えた状態では、図示されているように、
コンデンサＣ１の上側の端子とコンデンサＣ２の下側の端子とが接続されるので、コンデ
ンサＣ１とコンデンサＣ２とが直列に接続された状態となる。更に、スイッチＳＷ２を上
側に切り替えた状態にすると、コンデンサＣ２の上側の端子とコンデンサＣ３の下側の端
子とが接続されるので、コンデンサＣ１およびコンデンサＣ２に加えて、コンデンサＣ３
も直列に接続された状態となる。こうして、３つのコンデンサが直列に接続された状態と
なるので、スイッチＳＷ３を上側に切り替えれば、図中に破線で示されている様に、３つ
のコンデンサを直列に接続した状態でピエゾ素子に接続することが可能となる。
【００３２】
また、本実施例の電力回収部では、３つのコンデンサを直列に接続した状態ではなく、
２つのコンデンサだけを直列に接続した状態でピエゾ素子に接続することも可能である。
例えば、図６（ｂ）に示されているように、スイッチＳＷ１を下側に切り替えると、コン
デンサＣ１が切断された状態になるので、コンデンサＣ２とコンデンサＣ３のみを直列接
続した状態で、ピエゾ素子に接続することができる。また、スイッチＳＷ１だけでなく、
スイッチＳＷ２も下側に切り替えてやれば、図６（ｃ）に示されている様に、コンデンサ
Ｃ１とコンデンサＣ２とを切り離して、コンデンサＣ３のみをピエゾ素子に接続すること
が可能である。この様に、本実施例の電力回収部２０４では、各コンデンサを直列に接続
することが可能なだけでなく、直列に接続するコンデンサの数を変更することも可能とな
っている。こうした構成を用いて、電力回収部２０４は、次のようにしてピエゾ素子の電
力を回収する。
【００３３】
図７は、本実施例の電力回収部によってピエゾ素子の電力を回収する様子を示した説明
図である。図７（ａ）には、電力の回収を開始した直後の様子が示されている。図中でハ
ッチングを付した矢印は、ピエゾ素子の電圧を示しており、前述した電力供給部２０２か
ら駆動されることによって、ピエゾ素子には高い電圧値の電力が蓄えられている。このよ
うにピエゾ素子の電圧値が高い場合、電圧値が低いコンデンサを接続すると、前述した様
に、大きな電流が流れて電力を消費してしまう。そこで、電力回収部２０４は、図示され
ている様に、３つのコンデンサＣ１〜Ｃ３を直列に接続した状態でピエゾ素子に接続する
。前述した様に、各コンデンサは予め所定の電圧値（図中「Ｅ」と示した電圧値）に充電
されているので、３つのコンデンサを直列に接続した場合には、全体の電圧値は「３Ｅ」
となる。このため、コンデンサ側の電圧値をピエゾ素子の電圧値に近づけることとなり、
その結果、電流による電力消費を抑えて電力を効率よく回収することが可能となる。
【００３４】
こうしてピエゾ素子の電力を回収していくと、それに伴ってピエゾ素子の電圧値が降下
していくので、やがてはコンデンサ側の電圧値との差が小さくなり、電力を回収できなく
なる。そこで、今度は、図７（ｂ）に示されている様に、直列に接続したコンデンサを１
つ外して、２つのコンデンサを直列接続した状態にする。こうすると、コンデンサ側の電
圧値は「２Ｅ」に下がるので、コンデンサ側の電圧がピエゾ素子側よりも低くなってピエ
ゾ素子から電力が流れ出し、コンデンサ側に電力を回収することができる。電力の回収が
更に進んで再び電力の回収ができなくなったら、今度は、図７（ｃ）に示されている様に
、コンデンサを１つだけ接続すればよい。こうすれば、コンデンサ側の電圧値を「Ｅ」に
下げることができるので、ピエゾ素子から更に電力を流出させてコンデンサに回収するこ
とが可能となる。
【００３５】
この様に、本実施例の電力回収部２０４は、ピエゾ素子の電圧値が高い場合には、コン
デンサを直列に接続することでコンデンサ側の電圧値をピエゾ素子の電圧値に近づけてお
き、ピエゾ素子の電圧が降下すると、直列に接続したコンデンサを外してコンデンサ側の
電圧値を下げていく。これにより、ピエゾ素子とコンデンサとの電圧差を小さくして電流
による電力損失を抑制しながら、なおかつ、ピエゾ素子の電圧が降下しても電力の回収を
続けて、ピエゾ素子の電力を十分に回収することが可能となっている。
【００３６】
加えて、本実施例の電力回収部は、コンデンサを直列に接続したり切断することによっ
てコンデンサ側の電圧値を変化させており、電圧値の異なるコンデンサを切り替えること
によって、コンデンサ側の電圧値を変化させているのではない。このため、複数のコンデ
ンサをそれぞれ異なる電圧値にしておく必要はなく、すべてのコンデンサを同じ電圧値に
しておけばよい。したがって、電圧値の異なる複数の電源を備えておく必要がないので、
装置が大型化することがなく、装置構成を簡素に保つことが可能となっている。
【００３７】
尚、電力回収部のコンデンサに付与しておく電圧値は、ピエゾ素子に印加される電圧値
に応じて調整するものとしてもよい。例えば、小さなサイズのインク滴を噴射する場合に
は、ピエゾ素子の変形量を小さくするために印加される電圧値も小さくなるので、３つの
コンデンサを直列接続した状態では、コンデンサ側の電圧値がピエゾ素子側の電圧値を超
えてしまうことがある。こうした場合、２つのコンデンサを直列接続した状態から電力の
回収を始めることになるので、コンデンサ側の電圧値は、２つのコンデンサを直列接続し
た状態と、１つのコンデンサを接続した状態との２種類の電圧値しか取ることができず、
２種類の状態を切り替える前後で、コンデンサ側の電圧値が大きく変化してしまう。これ
に対して、コンデンサに印加する電圧値を小さくし、３つのコンデンサを直列接続した状
態から電力の回収を始めれば、コンデンサ側は３種類の電圧値をとることができるので（
図７を参照）、コンデンサの接続を切り替える前後での電圧値の変化を小さく抑えること
ができる。これにより、コンデンサの接続を切り替えた直後であっても、コンデンサ側と
ピエゾ素子側との電圧差が小さく保たれるので、電流による電力消費を抑制してより効率
よく電力を回収することが可能となる。
【００３８】
尚、回収した電力は、ピエゾ素子の電圧を再び上昇させる際に利用することが可能であ
り、これにより、電力効率を向上させて省電力化を図ることが可能となる。以下では、電
力回収部によって回収した電力を再利用する様子について、簡単に説明する。
【００３９】
図８は、電力回収部のコンデンサに回収した電力を、ピエゾ素子の電圧値を上昇させる
際に再利用する様子を示した説明図である。図８（ａ）には、ピエゾ素子に電力を供給し
て電圧値を上昇させ始めた直後の様子が示されている。前述した様に、ピエゾ素子の電圧
を上昇させる際には電力供給部２０２から電力を供給するが、回収した電力を再利用する
際には、図示されている様に、電力供給部２０２に加えて、電力回収部２０４のコンデン
サもピエゾ素子に接続する。すると、ピエゾ素子の電圧値を上昇させ始めた状態では、ピ
エゾ素子の電圧値はコンデンサの電圧値よりも低いので、図中に矢印で示されている様に
、コンデンサからピエゾ素子に向かって電流が流れていき、コンデンサに回収しておいた
電力をピエゾ素子に供給することができる。
【００４０】
こうしてピエゾ素子に電力を供給していくと、ピエゾ素子の電圧値が上昇していくので
、やがてはピエゾ素子の電圧値がコンデンサの電圧値よりも高くなり、コンデンサからの
電力の供給が行われなくなる。こうした場合には、図８（ｂ）に示されている様に、コン
デンサＣ３とコンデンサＣ２とを直列接続した状態で、ピエゾ素子に接続すればよい。こ
うすれば、コンデンサ側の電圧値がコンデンサＣ２の電圧値とコンデンサＣ３の電圧値と
の合計の電圧値（図中「２Ｅ」と示した電圧値）まで上昇するので、ピエゾ素子の電圧値
よりもコンデンサ側の電圧値が高くなり、ピエゾ素子へ電力を供給することが可能となる
。同様に、ピエゾ素子の電圧値が更に上昇した場合には、コンデンサＣ１〜Ｃ３の３つの
コンデンサを直列接続した状態でピエゾ素子に接続すればよい。これにより、コンデンサ
側の電圧値を、３つのコンデンサの電圧値の合計値まで上昇させることができるので、ピ
エゾ素子の電圧値がより上昇した場合でも電力の供給を続けることが可能となる。
【００４１】
尚、電力回収部から電力を供給する際には、ピエゾ素子の電圧値に応じてコンデンサを
直列にするのではなく、初めからコンデンサを直列接続した状態にしておくものとしても
よい。こうすれば、ピエゾ素子の電圧値が変わるたびに各スイッチを操作する必要がない
ので、電力をより簡便に供給することが可能となる。また、スイッチの操作に要する時間
を節約できるので、ピエゾ素子の電圧をより迅速に上昇させることが可能となり、延いて
は、インク滴をより迅速に噴射することが可能となる。これに対して、図８に示した様に
、ピエゾ素子の電圧に応じてコンデンサを直列接続に切り替えていくものとすれば、ピエ
ゾ素子の電圧値とコンデンサの電圧値との差を小さく抑えた状態で電圧を上昇させること
ができるので、コンデンサからピエゾ素子に流れる電流による電力消費を抑えて、回収し
た電力をより効率よく利用することが可能となる。
【００４２】
以上に説明した様に、本実施例のピエゾ素子駆動回路２００では、ピエゾ素子に供給し
た電力を電力回収部２０４で回収し、再びピエゾ素子に供給することが可能となっている
。電力回収部２０４は、コンデンサ側の電圧値をピエゾ素子の電圧値に近づけた状態で電
力の回収を行うことから、電流による電力消費を抑えた状態で電力の回収を行うことが可
能となっており、また、ピエゾ素子の電圧が低下した際には、直列接続するコンデンサの
数を減らすことによってコンデンサ側の電圧を降下させることができるので、ピエゾ素子
から電力を十分に回収することが可能となっている。こうして効率よく回収した電力は、
ピエゾ素子に電力を供給する際に再利用することができるので、本実施例のインクジェッ
トプリンタ１０は、電力消費を抑えながら画像を印刷することが可能となっている。そし
て、本実施例の電力回収部では、複数のコンデンサをそれぞれ異なる電圧値に充電してお
く必要がないことから、複数の電源を備えておく必要が無い。このため、本実施例のイン
クジェットプリンタ１０は、装置構成を大型化することなく簡素に保ちつつも省電力化を
図ることが可能となっている。
【００４３】
Ｄ．第２実施例のピエゾ素子駆動回路  ：
前述した第１実施例のピエゾ素子駆動回路では、電源供給部と電力回収部とがそれぞれ
設けられており、電力供給部では電力の供給を行い、電力回収部では電力の回収を行うも
のとして説明した。しかし、電力回収部に電源を設けておくことによって、電力回収部で
電力の供給と電力の回収との両方を行うことも可能である。
【００４４】
図９は、電力回収部によって電力の供給および電力の回収を行う第２実施例のピエゾ素
子駆動回路を示した説明図である。図示されている様に、第２実施例のピエゾ素子駆動回
路では、電力供給部が設けられておらず、電力回収部２０４のみが設けられている。また
、電力回収部２０４に電源が備えられており、図中「Ａ」と示したスイッチを介して電源
を各コンデンサに接続することが可能となっている。第２実施例のピエゾ素子駆動回路で
は、こうした構成を用いて、次のように電圧波形を印加する。尚、図中「Ａ」と示したス
イッチは、電圧波形を印加する直前にＯＮの状態にしてコンデンサを充電し、その後は、
ＯＦＦの状態にしておくものとする。
【００４５】
図１０は、第２実施例のピエゾ素子駆動回路を用いてピエゾ素子を駆動させる様子を示
した説明図である。図１０（ａ）には、ピエゾ素子に印加される電圧波形が例示されてお
り、この電圧波形は、電力回収部によって次のように印加される。まず、図１０（ｂ）に
示されている様に、コンデンサＣ３をピエゾ素子に接続する。コンデンサＣ３は電力回収
部２０４の電源によって予め所定の電圧値（図中「Ｅ」と示された電圧値）まで充電され
ているので、図中に矢印で示されている様に、コンデンサＣ３からピエゾ素子に電力が供
給されていく。こうして電力が供給されてピエゾ素子の電圧値が上昇していくことによっ
て、図１０（ａ）に「Ａ」と示された部分の波形がピエゾ素子に印加される。次いで、更
に電圧を上げて電圧波形の次の部分（図１０（ａ）に「Ｂ」と示した部分）を印加するた
めに、今度は、コンデンサＣ３とコンデンサＣ２とを直列に接続する（図１０（ｃ）を参
照）。これにより、コンデンサの側の電圧は、コンデンサＣ２の電圧値とコンデンサＣ３
の電圧値との合計の電圧値（図中「２Ｅ」と示された電圧値）になるので、ピエゾ素子に
更に電力を供給して、ピエゾ素子の電圧値を「２Ｅ」まで上昇させて、図１０（ａ）に「
Ｂ」と示した部分の波形を印加することができる。同様に、３つのコンデンサを直列に接
続してやれば、ピエゾ素子の電圧値が「３Ｅ」まで上昇する電圧波形を印加することが可
能となる。
【００４６】
一方、図１０（ａ）に「Ｃ」と示した部分の様に、ピエゾ素子の電圧値が降下する波形
部分を印加する際には、直列に接続したコンデンサの数を減らしていけばよい。例えば、
３つのコンデンサを直列に接続した状態から、図１０（ｄ）に示されている様に、コンデ
ンサを２つだけ直列に接続した状態とすれば、コンデンサ側の電圧値が「２Ｅ」に下がる
ので、ピエゾ素子から電力を流出させてピエゾ素子の電圧値を「２Ｅ」まで降下させるこ
とが可能となり、その結果、図１０（ａ）に「Ｃ」と示された部分の波形を印加すること
ができる。同様に、コンデンサを１つにすれば、更に電圧値を「Ｅ」まで降下する波形を
印加することが可能となり、更に、スイッチＳＷ１〜ＳＷ３をすべて下側に切り替えれば
、ピエゾ素子にコンデンサが１つも接続されずに直接ＧＮＤに接続された状態になるので
（図９を参照）、ピエゾ素子の電圧値がＧＮＤの電圧値まで降下する波形を印加すること
が可能となる。
【００４７】
この様に、第２実施例のピエゾ素子駆動回路では、電力供給部ではなく、電力回収部２
０４のコンデンサからピエゾ素子に電力を供給することによって、電圧波形を印加してい
る。もっとも、コンデンサに蓄積可能な電力にも限界がある上、ピエゾ素子に供給した電
力を全て回収できるわけではないので、コンデンサから電力の供給を続けていると、やが
てはコンデンサの電力が減っていき、コンデンサの電圧値が降下していく。そこで、こう
した場合には、電力回収部２０４に備えた電源を用いて（図９を参照）、コンデンサに再
び電力を補充してやればよい。これにより、コンデンサは電力を維持することができるの
で、電圧値が降下することがなく、適切な電圧波形を印加し続けることが可能となる。
【００４８】
この様に、第２実施例のピエゾ素子駆動回路では、電力回収部２０４に電源を備えてお
くことによって、電力回収部のみを用いてピエゾ素子を駆動することが可能となっている
。このため、電力供給部を省いて装置構成をより簡素化することが可能となっている。
【００４９】
Ｅ．変形例  ：
Ｅ−１．第１変形例  ：
上述した実施例の電力回収部は、電源と各々のコンデンサとは、スイッチを介して接続
されるものとして説明した（図９に「Ａ」と示したスイッチを参照）。しかし、スイッチ
ではなく、ダイオードなどの電流の向きを制限する素子を用いて接続することにより、ス
イッチの操作を省略して電力回収部をより簡便に駆動させることも可能である。
【００５０】
図１１は、電源とコンデンサとをダイオードで接続した変形例の電力回収部を示した説
明図である。図示されている様に、変形例の電力回収部では、コンデンサＣ１〜Ｃ３が、
それぞれダイオードＤ１〜Ｄ３を介して電源と接続されている。このようにダイオードを
用いてコンデンサを電源に接続した場合、電源側からはコンデンサ側に電力を供給するこ
とができるが、コンデンサ側からは電源側に電力が流れ出てしまうことがない。このため
、コンデンサと電源との間にスイッチを設けて切断しておく場合と同様に、コンデンサに
回収しておいた電力が電源側に流れ出てしまう事態を回避することが可能となっており、
その結果、コンデンサに回収した電力を消費することなく確実に再利用することが可能と
なっている。また、コンデンサの電力が不足した場合には、ダイオードを介して電源から
直ちに電力を供給することができるので、コンデンサの電力を維持することも可能となっ
ている。
【００５１】
また、コンデンサＣ１〜Ｃ３の図中の上側の端子（ダイオードを接続した端子）につい
ては、ダイオードが設けられていることから、互いの端子間を電流が流れることがないの
で、コンデンサを直列に接続して電圧値を上昇させることも可能となっている。例えば、
図示されている様に、３つのコンデンサを直列に接続した状態では、コンデンサＣ３の上
側の端子は、コンデンサＣ２やコンデンサＣ１の上側の端子の方よりも電位が高くなるが
、ダイオードによって電流が阻止されるので、コンデンサＣ３の上側の端子からコンデン
サＣ１やコンデンサＣ２の上側の端子に電流が流れてコンデンサＣ３の電圧が降下してし
まうことがない。このため、コンデンサを直列に接続した状態でピエゾ素子に電力を供給
したり、ピエゾ素子の電力を回収することが可能となっている。
【００５２】
この様に、変形例の電力回収部２０４においても、コンデンサと電源との間のスイッチ
を切断しておく場合と同様に、コンデンサを直列に接続した状態でピエゾ素子に電力を供
給したり、回収することが可能となっている。こうすれば、電源とコンデンサとの間のス
イッチを操作する必要がなく、電力回収部２０４をより簡便に動作させることが可能とな
るので、制御回路２０６を簡略化することが可能となり、延いては、装置をより小型化す
ることが可能となる。
【００５３】
Ｅ−２．第２変形例  ：
前述した実施例では、電力回収部のコンデンサを直列に接続していない状態では、各々
のコンデンサを互いに切り離した状態にしておくものとして説明した（図６（ｃ）を参照
）。しかし、直列に接続していない状態では、各々のコンデンサを並列に接続しておくも
のとしてもよい。
【００５４】
図１２は、各コンデンサを並列に接続した状態を示した説明図である。図１２（ａ）で
は、各コンデンサの上側の端子がスイッチを介して互いに接続されており、また、各コン
デンサの下側の端子もスイッチＳＷ１およびスイッチＳＷ２を介して互いに接続されてい
るので、各コンデンサは並列に接続された状態になっている。このように各コンデンサを
並列に接続すれば、各コンデンサの間で電力の受け渡しが行われるので、ピエゾ素子から
回収した電力を各コンデンサに均等にふりわけることができる。これにより、特定のコン
デンサに電力が集中してそのコンデンサの寿命が縮まってしまう事態を回避することが可
能となる。また、電力を供給したり回収することによってコンデンサの電圧値が変わって
しまった場合でも、他のコンデンサと電力を受け渡しすることによって電圧値の変化を小
さくすることができるので、ピエゾ素子に印加する電圧値が大きく変わってしまう虞がな
く、また、コンデンサ側の電圧値が変化してピエゾ素子の電力を十分に回収できなくなる
虞もないので、好適である。
【００５５】
尚、コンデンサを並列に接続する際には、図１２（ａ）に示されているように、電源と
スイッチとの間にダイオードを接続しておくものとしてもよい。こうすれば、コンデンサ
側から電源側に電力が流れてしまうことがないので、コンデンサに蓄えた電力を消費する
ことなくピエゾ素子に確実に供給することが可能となる。
【００５６】
また、図１２（ｂ）に示されている様に、スイッチＳＷ２を直接ＧＮＤに接続するもの
としてもよい。電力回収部のスイッチは、いわゆるＦＥＴ素子などによって実現可能であ
るが、こうした素子を用いた場合、素子の内部抵抗のためにスイッチの前後で僅かな電圧
差が生じることがある。このため、複数のスイッチを経由してコンデンサ同士を接続する
と、電圧差が積み重なってコンデンサ間の電圧差が大きくなってしまうことがある。例え
ば、コンデンサＣ１の下側の端子とコンデンサＣ３の下側の端子とは、スイッチＳＷ１と
スイッチＳＷ２との２つのスイッチを介して接続されるので（図１２（ａ）を参照）、コ
ンデンサＣ１とコンデンサＣ３との電圧差が大きくなってしまう虞がある。そこで、スイ
ッチＳＷ２を直接ＧＮＤに接続することとすれば、スイッチＳＷ１を介さずにコンデンサ
Ｃ１とコンデンサＣ３とをＧＮＤを経由して接続できるので、コンデンサ間の電圧差を抑
えることが可能となる。
【００５７】
また、直列に接続したコンデンサを切り離すたびに並列に接続するのではなく、所定の
タイミングがきたらコンデンサを並列に接続するものとしてもよい。例えば、ピエゾ素子
を駆動してインク滴を噴射した回数を計測しておき、所定の回数に達したらコンデンサを
並列に接続するものとしてもよい。こうすれば、インク滴の噴射を繰り返してコンデンサ
間の電力のバラつきが大きくなった時点でバラつきを解消することができるので、バラつ
きが小さい間はコンデンサを並列に接続する動作を省略することによりピエゾ素子を迅速
に駆動して、画像を高速に印刷することが可能となる。
【００５８】
以上、本実施例の流体噴射装置について説明したが、本発明は上記すべての実施例に限
られるものではなく、その要旨を逸脱しない範囲において種々の態様で実施することが可
能である。例えば、より大型の噴射ヘッドを備えた印刷装置（いわゆるラインヘッドプリ
ンタ等）であってもよい。このような印刷装置の場合、噴射ヘッドが大型化することに伴
ってピエゾ素子の数が増えるので、電力消費が大きくなる傾向がある。そこで、本発明を
適用すれば、電力を効率よく回生させることによって消費電力を抑えることが可能となる
。また、多数の電源を用いる必要がなく回路構成を小型化可能なことから、たとえ噴射ヘ
ッドが大型化しても、プリンタ全体の構成をコンパクトに抑えることが可能となる。
【００５９】
また、上述した実施例では、インクジェットプリンタのピエゾ素子を駆動する場合を例
にとって説明したが、本実施例で説明した駆動回路は、電力を保持する素子を駆動する種
々の装置に適用することが可能である。例えば、液晶パネルでは、液晶の内部に生じる電
場によって電力が保持されるので、こうした装置に本実施例の駆動回路を適用すれば、電
力を回生させて省電力化を図ることが可能となる。もちろん、こうした場合も、電源を多
数備えておく必要がないので、装置を小型化することも可能となる。
【符号の説明】
【００６０】
１０…インクジェットプリンタ、    ２０…キャリッジ、    ２４…噴射ヘッド、
２６…インクカートリッジ、    ３０…駆動機構、    ４０…プラテンローラ、
５０…プリンタ制御回路、    １００…噴射口、    １０２…インク室、
１０４…ピエゾ素子、    ２００…ピエゾ素子駆動回路、
２０２…電力供給部、    ２０４…電力回収部、    ２０６…制御回路、
３００…ゲートユニット、    ３０２…ゲート素子
【図１】
2010221457.tif 000003
【図２】
2010221457.tif 000004
【図３】
2010221457.tif 000005
【図４】
2010221457.tif 000006
【図５】
2010221457.tif 000007
【図６】
2010221457.tif 000008
【図７】
2010221457.tif 000009
【図８】
2010221457.tif 000010
【図９】
2010221457.tif 000011
【図１０】
2010221457.tif 000012
【図１１】
2010221457.tif 000013
【図１２】
2010221457.tif 000014
【手続補正書】
【提出日】平成22年1月7日(2010.1.7)
【手続補正１】
【補正対象書類名】特許請求の範囲
【補正対象項目名】全文
【補正方法】変更
【補正の内容】
【特許請求の範囲】
【請求項１】
噴射口に設けられた駆動素子に電圧を印加して該駆動素子を駆動することにより、該噴射口から流体を噴射する流体噴射装置であって、
前記駆動素子は、印加される電圧が上昇すると該電圧値に応じた電荷を内部に蓄え、該印加される電圧値が降下すると該内部に蓄えた電荷を放出する素子であり、
複数のコンデンサと、
前記駆動素子に印加される電圧値の降下時には、前記複数のコンデンサを直列に接続した状態で前記駆動素子に接続することにより、該駆動素子に蓄えられた電荷を該コンデンサに回収する電力回収部と
を備え、
前記電力回収部は、前記駆動素子に印加される電圧値が降下するに従って、前記直列に接続したコンデンサの数が減るように該コンデンサ間の接続状態を切り替えて、該駆動素子に蓄えられた電荷を回収することを特徴とする流体噴射装置。
【請求項２】
前記電力回収部は、直列に接続された一部のコンデンサを他のコンデンサに対して並列に接続された状態にすることにより、該直列に接続されたコンデンサの数を減少させることを特徴とする請求項１に記載の流体噴射装置。
【請求項３】
噴射口に設けられた駆動素子に電圧を印加して該駆動素子を駆動することにより、該噴射口から流体を噴射する流体噴射装置であって、
前記駆動素子は、印加される電圧が上昇すると該電圧に応じた電荷を内部に蓄え、該印加される電圧が降下すると該内部に蓄えた電荷を放出する素子であり、
複数のコンデンサと、
前記複数のコンデンサに予め電荷を付与する電源と、
前記駆動素子に印加される電圧の上昇時には、前記複数のコンデンサを直列に接続した状態で前記駆動素子に接続することにより、該駆動素子に電荷を供給する電力回収部と
を備え、
前記電力回収部は、前記駆動素子に印加させる電圧に従って、該コンデンサ間の接続状態を切り替えて、該駆動素子に電荷を供給することを特徴とする流体噴射装置。
【請求項４】
前記電力回収部は、前記駆動素子に印加させる電圧が降下するに従って、前記直列に接続したコンデンサの数が減るように該コンデンサ間の接続状態を切り替えて、前記駆動素子に電荷を供給することを特徴とする請求項３に記載の流体噴射装置。
【請求項５】
前記電力回収部は、前記駆動素子に印加させる電圧が上昇するに従って、前記直列に接続したコンデンサの数が増えるように該コンデンサ間の接続状態を切り替えて、前記駆動素子に電荷を供給することを特徴とする請求項３に記載の流体噴射装置。
【請求項６】
前記電力回収部は、一部のコンデンサを他のコンデンサに対して直列または並列に接続された状態にすることにより、直列に接続されたコンデンサの数を増加または減少させることを特徴とする請求項３に記載の流体噴射装置。